(57)【要約】【課題】測定値を擬似的に折れ線グラフ状に表示できる婦人体温計を提供することを目的とする。【解決手段】測温データを出力するために体温を測定する測定手段と、前記測温データから算出した予測値または実測が完了した場合に得た実測値を測定値として日毎に記憶する記憶手段と、前記測定値を表示する表示手段と、前記測定値を前記表示手段に表示させる制御部と、を有し、前記表示手段では、前記測定値を表示するための複数の表示セグメントからなる第１のラインが日毎に複数配置され、前記表示セグメントの大きさより小さい複数の補間セグメントからなる第２のラインが第１のライン間に少なくとも１つ配置されている。【選択図】図１
2008151564.tif 000002
【特許請求の範囲】
【請求項１】
体温を測定し測温データとして出力する測定手段と、
前記測温データから算出した予測値または実測が完了した場合に前記測温データから得た実測値を測定値として日毎に記憶する記憶手段と、
前記記憶手段で記憶された前記測定値を表示する表示手段と、
前記測定値を前記表示手段に表示させる制御部と、
を有し、
前記表示手段では、
前記測定値を表示するための複数の表示セグメントからなる第１のラインが日毎に配置され、
前記表示セグメントの大きさより小さい複数の補間セグメントからなる第２のラインが前記日毎の第１のライン間に少なくとも１つ配置されている
ことを特徴とする婦人体温計。
【請求項２】
前記補間セグメントは異なる体温の値を示す互いに隣接する表示セグメント間に配置されていることを特徴とする請求項１に記載の婦人体温計。
【請求項３】
前記補間セグメントは同じ体温の値を示す互いに隣接する表示セグメント間に配置されていることを特徴とする請求項１または２に記載の婦人体温計。
【請求項４】
前記制御部は、前記測定値に対応する表示セグメントを日毎に点灯させ、点灯する表示セグメント間を補間するように補間セグメントを点灯させることを特徴とする請求項１〜３のいずれか１項に記載の婦人体温計。
【発明の詳細な説明】
【技術分野】
【０００１】
本発明は、婦人体温計に関する。
【背景技術】
【０００２】
従来の婦人体温計としては、毎日の測定結果を自動的に記録し、適時その記録データを参照可能であり、毎日の記録をグラフのように表示するものがある。例えば、特許文献１（特開平７−０２７６１９号公報）及び特許文献２（特許第３１６７８３４号公報）は棒グラフや離散点グラフを開示する。例えば、図１０は複数のセグメントを用いて棒グラフ状に表示した例を示す図である。図１１は離散点グラフを示す図である。
【特許文献１】特開平７−０２７６１９号公報
【特許文献２】特許第３１６７８３４号公報
【発明の開示】
【発明が解決しようとする課題】
【０００３】
しかしながら、婦人体温計では、図１０及び図１１に示すように低い解像度の表示器を使用するので、体温変化のトレンドが視覚的に読みにくいため、利用者にとって体温変化のトレンドが分かりづらかった。
【０００４】
本発明は、測定値を擬似的に折れ線グラフ状に表示できる婦人体温計を提供することを目的とする。
【課題を解決するための手段】
【０００５】
本発明は上記目的を達成するため、体温を測定し測温データとして出力する測定手段と、測温データから算出した予測値または実測が完了した場合に前記測温データから得た実測値を測定値として日毎に記憶する記憶手段と、前記記憶手段で記憶された測定値を表示する表示手段と、測定値を表示手段に表示させる制御部と、を有し、表示手段では、測定値を表示するための複数の表示セグメントからなる第１のラインが日毎に配置され、表示セグメントの大きさより小さい複数の補間セグメントからなる第２のラインが前記日毎の第１のライン間に少なくとも１つ配置されている。
【発明の効果】
【０００６】
本発明によれば、測定値を擬似的に折れ線グラフ状に表示できる。
【発明を実施するための最良の形態】
【０００７】
以下に図面を参照して、本発明の好適な実施形態を例示的に詳しく説明する。
【０００８】
図２は本発明の一実施形態に係る婦人体温計の構成を示す図である。婦人体温計は、その機能として、感温素子１０、信号変換部１１、中央処理装置（ＣＰＵ）１２、液晶表示器（ＬＣＤ）１３、記憶部１４、電源部１５、発振部１６、低周波増幅部１７、ブザー１８、操作キー部１９等から構成される。尚、感温素子１０及び信号変換部１１は測温部（本発明の「測定手段」に相当）である。記憶部１４は、本発明の「記憶手段」に相当する。液晶表示器１３は本発明の「表示手段」に相当する。中央処理装置１２は、本発明の「制御部」に相当する。
【０００９】
感温素子１０は、生体の温度情報（体温）を電気抵抗値へ変換する。信号変換部１１は、感温素子１０の電気抵抗値信号を中央処理装置１２が演算し易い信号（測温データ）へ変換し出力する。
【００１０】
そして、中央処理装置１２は、測温データを処理し、液晶表示器１３に測定値を表示させたり、記憶部１４に測定値を記憶させたりする。液晶表示器１３は、中央処理装置１２からの表示指示情報に従い、各種情報を表示する。記憶部１４は、毎日の測定値を指定日数分記憶・保持する。尚、測定値としては、測温データから算出した予測値または体温測定開始から５分を経過した時を実測が完了した場合としてその時の測温データから得た実測値がある。
【００１１】
発振部１６は、測定が終了した場合等に鳴らすブザー１８を動作させるための基本波形の信号を作り出す。低周波増幅部１７は、発振部１６から出力された信号を電力増幅する。ブザー１８は、低周波増幅部１７により電力増幅された信号を音へ変換する。
【００１２】
操作キー部１９は、ユーザーの希望する処理を中央処理装置１２が理解できる形に変換・伝達する。電源部１５は、各構成要素への電力を供給する。尚、電源部１５は、交流を直流に変換する変換器や電池を用いることができる。また、中央処理装置１２は、操作キー部１９を介したユーザーからの指示による各種処理を実行し、液晶表示器１３に表示する情報を液晶表示器１３へ転送する。
【００１３】
図３は本発明の一実施形態に係る婦人体温計の外観を表す図である。１０１〜１１０は、操作キー部１９に相当し、婦人体温計の各種操作を実行するための操作キーである。婦人体温計は、アラーム・音量設定キー１０１、メモ入力キー１０２、スクロール・選択キー（左）１０３、スクロール・選択キー（右）１０４、取り消しキー１０５、確定キー１０６、時刻設定キー１０７、目盛設定キー１０８、バックライトキー１０９、電源キー１１０等の複数の操作キーを有する。測温部３０１は、感温素子１０及び信号変換部１１等から構成され、婦人体温計本体から取り出し生体に接触させて使用される。液晶表示機２０１は、液晶表示器１３に相当する。
【００１４】
＜半ドットずらし配置＞
図１は、液晶表示機２０１のセグメント（表示素子）の配置例を示す図である。
【００１５】
液晶表示機２０１には、測定値を表示するための複数の表示セグメントからなる第１のライン２０が日毎に配置され、前記表示セグメントの大きさより小さい複数の補間セグメントからなる第２のライン２１が前記日毎の第１のライン２０間に少なくとも１つ配置されている。
【００１６】
図１に示す例では、複数の表示セグメントが縦方向に１９個配置され、第１のライン２０が形成されている。表示セグメントの形状は矩形（正方形又は長方形）である。そして、１つの第１のライン２０が１日の測定値を表示するために配置され、横方向に指定日数分（４０日分）の第１のライン２０が配置されている。第１のライン２０の表示セグメントの大きさより小さい複数の補間セグメントが縦方向に１８個配置され、第２のライン２１が形成されている。補間セグメントの形状は矩形（正方形又は長方形）である。そして、第２のライン２１は、互いに隣接する第１のライン２０間に１つ配置されている。本実施形態では第２のライン２１が第１のライン２０間に１つ配置されている例であるが、第２のライン２１を第１のライン２０間に２つ以上配置してもよい。
【００１７】
体温の測定値の表示においては、当該測定日に該当する第１のライン２０の測定値の値に対応する１セグメント（１ドット）のみ点灯させて表示させる。ここで、同じ縦位置における横方向に並ぶ表示セグメントはそれぞれ異なる日における同じ体温の値を示すために配置されている。そして、補間セグメントは異なる体温の値を示す互いに隣接する表示セグメント間に配置されている（以下、「半ドットずらし配置」という。）。半ドットず
らし配置とは、ある表示セグメント（注目表示セグメント）と、注目表示セグメントと異なる体温の値を示す注目表示セグメントに隣接する表示セグメントとの間に補間セグメントを配置することをいう。異なる体温の値を示す互いに隣接する表示セグメントの配置関係は、注目表示セグメントと、注目表示セグメントの左上、左下、右上、または右下に配置された表示セグメントとの配置関係をいう。ここで、異なる体温の値を示す互いに隣接する表示セグメントを点灯させる場合、異なる体温の値を示す互いに隣接する表示セグメント間に配置された補間セグメントを点灯させる。図４は、半ドットずらし配置による表示例を示す図である。図４に示すように、第２のライン２１の補間セグメントを半ドットずらし配置により構成することにより、測定値を擬似的に折れ線グラフ状に表示できる。
【００１８】
半ドットずらし配置では、隣接する２日分の測定値が同じ値であった場合、補間セグメントを非点灯にする。隣接する２日分の測定値が異なる値であった場合、その異なった値を示す点灯する表示セグメント間に配置された縦方向の補間セグメントを点灯状態にする。点灯状態にすると、測定値が異なることを強調できる。
【００１９】
図４に示す表示例において、中央処理装置１２は、測定値に対応する表示セグメントを日毎に点灯させ、点灯する表示セグメント間を補間するように補間セグメントを点灯させる。中央処理装置１２は、隣接する２日分の測定値が同じ値であった場合に補間セグメントを非点灯にし、隣接する２日分の測定値が異なる値であった場合に点灯する表示セグメント間を補間するように補間セグメントを点灯させる。
【００２０】
＜並列配置＞
図５は、液晶表示機２０１のセグメント（表示素子）の別の配置例を示す図である。図５において、補間セグメントは同じ体温を示す互いに隣接する表示セグメント間に配置されている（以降、並列配置という。）。図６〜図８は、並列配置による表示例を示す図である。
【００２１】
図６〜図８に示すように、第２のライン２１の補間セグメントを第１のライン２０の表示セグメントと縦方向の同じ位置に並列配置により構成することにより、測定値を擬似的に折れ線グラフ状に表示できる。
【００２２】
図６〜図８に示す表示例において、中央処理装置１２は、測定値に対応する表示セグメントを日毎に点灯させ、点灯する表示セグメント間を補間するように補間セグメントを点灯させる。
【００２３】
図６に示す表示例では、中央処理装置１２は、点灯させる表示セグメントの両側の補間セグメントを点灯させ、更に、第２のライン２１で点灯する補間セグメントの間に存在する補間セグメントを点灯させる。尚、測定値の初日に相当するセグメントの左側に補間セグメントは存在しない。また、測定値の最後に相当するセグメントについては、右側の補間セグメントを点灯させない。
【００２４】
図７に示す表示例では、中央処理装置１２は、点灯させる第１の表示セグメントに隣接する第２の表示セグメントを点灯させる場合、第１の表示セグメントの両側の補間セグメントのうち第２の表示セグメント側の補間セグメントのみを点灯させ、点灯させる第１の表示セグメントに隣接しない第２の表示セグメントを点灯させる場合、第１の表示セグメントの両側の補間セグメントを点灯させない。更に、中央処理装置１２は、点灯させない補間セグメント間の補間セグメントを点灯させる。尚、第２のライン２１で点灯する補間セグメントの間に存在する補間セグメントを点灯させる。測定値の初日に相当するセグメントの左側に補間セグメントは存在しない。また、測定値の最後に相当するセグメントについては、右側の補間セグメントを点灯させない。
【００２５】
ここで、第１の表示セグメントに隣接する第２の表示セグメントとは、図７に示すように、第１の表示セグメントの両側に配置された第２の表示セグメント、第１の表示セグメントの左上、左下、右上、右下に配置された第２の表示セグメントをいう。
【００２６】
図８に示す表示例では、中央処理装置１２は、点灯させる第１の表示セグメントの両側の補間セグメントのうち左側の補間セグメントのみを点灯させる。更に、中央処理装置１２は、上記点灯させる補間セグメントと点灯させない補間セグメント（第１の表示セグメントの右側の補間セグメント）間の補間セグメントを点灯させる。尚、測定値の初日に相当するセグメントの左側に補間セグメントは存在しない。また、測定値の最後に相当するセグメントについては、右側の補間セグメントを点灯させない。
【００２７】
＜変形例＞
上述した半ドットずらし配置と並列配置を組合せてもよい。この場合、補間セグメントの数は倍になるが、測定値をより擬似的に折れ線グラフ状に表示できる。また、第２のラインを第１のライン間に２以上設けた場合、補間セグメントの数は倍以上になるが、測定値をより擬似的に折れ線グラフ状に表示できる。
【００２８】
図９は、更に別の液晶表示機２０１のセグメント（表示素子）の配置例を示す図である。図９に示す配置例では、表示セグメントの形状と補間セグメントの形状を円形にした。この他に、表示セグメントの形状と補間セグメントの形状を楕円形や多角形、又は矩形と円形や楕円形等の形状と組合せることも可能である。このように、限られた画素の液晶表示機２０１の中で各セグメントの大きさ・形状・表示位置を変化させてもよい。また、上記表示例では表示セグメントの数は４０日分で、温度の分解単位は０．０１℃であるが、これに限らず、表示セグメントの数を増やしても減らしても良い。また、温度の分解単位も荒くしても細かくしても良い。
【図面の簡単な説明】
【００２９】
【図１】液晶表示機２０１のセグメント（表示素子）の半ドットずらし配置の配置例を示す図である。
【図２】本発明の一実施形態に係る婦人体温計の構成を示す図である。
【図３】本発明の一実施形態に係る婦人体温計の外観を表す図である。
【図４】半ドットずらし配置による表示例を示す図である。
【図５】液晶表示機２０１のセグメント（表示素子）の並列配置の配置例を示す図である。
【図６】並列配置による表示例を示す図である。
【図７】並列配置による表示例を示す図である。
【図８】並列配置による表示例を示す図である。
【図９】別の液晶表示機２０１のセグメント（表示素子）の配置例を示す図である。
【図１０】従来の複数のセグメントを用いて棒グラフ状に表示した例を示す図である。
【図１１】従来の離散点グラフである。
【符号の説明】
【００３０】
１０      感温素子
１１      信号変換部
１２      中央処理装置
１３      液晶表示器
１４      記憶部
１５      電源部
１６      発振部
１７      低周波増幅部
１８      ブザー
１９      操作キー部
２０      第１のライン
２１      第２のライン
【図１】
2008151564.tif 000003
【図２】
2008151564.tif 000004
【図３】
2008151564.tif 000005
【図４】
2008151564.tif 000006
【図５】
2008151564.tif 000007
【図６】
2008151564.tif 000008
【図７】
2008151564.tif 000009
【図８】
2008151564.tif 000010
【図９】
2008151564.tif 000011
【図１０】
2008151564.tif 000012
【図１１】
2008151564.tif 000013